(57)【要約】【課題】測定に時間がかかり、さらに測定精度の劣るヘッドの温度測定に拠らず、正確に計測できる印刷ドット数を用いてパルスレイトの制御し、正確でしかも即時性のある温度制御さらには印字精度を向上させる。【解決手段】印刷パルス幅制御をＰ．Ｗ（Ｃ）＝Ｗ０−［Ｃ／Ｃ０］ΔＷ（Ｃ）ここで、Ｐ．Ｗはエネルギー矩形波の駆動幅Ｃは印字動作累計値［ｘ］はガウス関数Ｗ０はエネルギー矩形波の最大幅ΔＷ（Ｃ）は印字動作累計値依存する値Ｃ０は定数に従って行う。【選択図】        図１
2004314439.tif 000002
【特許請求の範囲】
【請求項１】
出力に供される画像データを記録保持する記憶手段と、
前記記憶手段に記憶される画像データの印字動作を要する画素数を計測する計測手段と、
印字動作に要する投入エネルギー量を制御するエネルギー制御手段とを有し、前記計測手段による累計値に応じ、前記エネルギー制御手段がエネルギー量を制御することを特徴とする記録装置。
【請求項２】
前記請求項１の前記エネルギー制御手段がエネルギー量をエネルギー矩形波の幅を制御することで行うことを特徴とする前記請求項１の記録装置。
【請求項３】
前期請求項２の前記エネルギー制御手段がエネルギー矩形波幅を
Ｐ．Ｗ（Ｃ）  ＝  Ｗ０−［Ｃ／Ｃ０］ΔＷ
ここで  Ｐ．Ｗはエネルギー矩形波の駆動幅
Ｃは印字動作累計値
［ｘ］はガウス関数
Ｗ０はエネルギー矩形波の最大幅
ΔＷはエネルギー矩形波の最小可変幅
Ｃ０は定数
である、に従い制御することを特徴とする前期請求項１乃至２の記録装置。
【請求項４】
前期請求項２の前記エネルギー制御手段がエネルギー矩形波幅を
Ｐ．Ｗ（Ｃ）  ＝  Ｗ０−［Ｃ／Ｃ０］ΔＷ（Ｃ）
ここで  Ｐ．Ｗはエネルギー矩形波の駆動幅
Ｃは印字動作累計値
［ｘ］はガウス関数
Ｗ０はエネルギー矩形波の最大幅
ΔＷ（Ｃ）は印字動作累計値依存する値
Ｃ０は定数
である、に従い制御することを特徴とする前期請求項１乃至３の記録装置。
【発明の詳細な説明】
【０００１】
【発明の属する技術分野】
本発明は記録媒体に対して画像や文字等を記録する記録装置、特に印字情報を熱エネルギーに変換する方式により印字を行う記録装置に関わるものである。
【０００２】
【従来の技術】
印字に際して投入されるエネルギーが本来印字動作にのみ消費されることが理想的ではあるが、実際には印字行う部位、印字ヘッドあるいはインク等の記録剤にも投入され、それらの温度変動をきたし、そのために適切は印字動作が保たれない場合があった。
【０００３】
そのため従来は、印字行う部位、特に印字ヘッドの温度を計測し、計測された温度に対応するように駆動エネルギーの駆動時間を制御する方式がとられていた。
【０００４】
【発明が解決しようとする課題】
しかしながら、上記従来技術においては、問題が指摘されていた。
【０００５】
印字行う部位、特に印字ヘッドの温度を計測し、計測された温度に対応するように駆動エネルギーの駆動時間を制御する方式では、温度計測に時間がかかることと、計測そのもの精度が低く計測時の状況にも依存するために、正確にかつ即時的に温度の計測が出来ず、その結果印字動作をよりよく正確には制御出来ずにいた。
【０００６】
【課題を解決するための手段】
出力に供される画像データを記録保持する記憶手段に記憶される画像データの印字動作を要する画素数を計測する計測手段と、印字動作に要する投入エネルギー量を制御するエネルギー制御手段とを有することで、計測手段による画像データ中で印字動作を要する画素数累計値に対応して、エネルギー制御手段がエネルギー量を制御することで、その結果印字動作をよりよく正確に制御する。
【０００７】
【発明の実施の形態】
以下に、本発明の実施の形態について図面を参照して説明する。
【０００８】
本発明の記録装置は、記録方式として、インクジェット方式あるいは感熱方式など、印字情報を熱エネルギーに変換し記録を行う方式で、変換の際に投入エネルギーを矩形波で制御する方式により記録を行う記録装置であるものならいかなるものにも適用しても良い。
【０００９】
（実施例１）
図１は本発明の第一の実施例をあらわすもので、個々の図を用いて説明する。
【００１０】
（１−１）は印刷されるべき出力画像データを記録保持する画像メモリであり、本実施例において出力画像データは１画素が２値の印刷情報を有している。
【００１１】
つまり出力画像データそのものが印字動作を要する画素であるかどうかを規定している。
【００１２】
また、ここでは複数の印字色を複数の印刷ヘッドがそれぞれ印字する場合は各色ごとの制御が行われるので、画像メモリは各印字色に対応して存在する。
【００１３】
（１−２）はドットカウンターで（１−１）画像メモリに保持される出力画像データが（１−３）の印刷ヘッドに送られる際に一印刷単位ごとに、（１−３）印刷ヘッドでの印刷動作を要する画素数と計測する。
【００１４】
ここでは、●が印刷動作を要する画素、○は印刷動作を要さない画素として表現している。
【００１５】
また、ここでは複数の印字色を複数の印刷ヘッドがそれぞれ印字する場合は各色ごとの制御が行われる。
【００１６】
（１−３）は印刷ヘッドで、この中で印字情報を投入エネルギーの矩形波の幅に応じ熱エネルギーに変換し印刷動作を行う変換素子が内在する。
【００１７】
（１−４）は（１−３）印刷ヘッドに投入エネルギーの矩形波の幅が変化すことを例示する図である。
【００１８】
また、印刷装置としての各要素、例えばデータあるいはステータスを送受信する部分、記録媒体を移動させる部分、印字ヘッドを同架し記録媒体の移動方向に対し交差するように移動する移動体、あるいは全体制御を司る部分等は明示されていないが存在する。
【００１９】
以上の構成において、本実施例の動作を説明する。
【００２０】
まず初めに電源投入時に印刷装置及び内部の各部が初期化される。
【００２１】
（式１−１）に於けるＣ印字動作累計値もまた初期化され、（１−４）矩形波の幅は（式１−１）により最大エネルギーを投入するようＷ０最大幅が設定される。
【００２２】
その後、装置は送受信部を経由して出力画像データが取り込まれるのを待つ。
【００２３】
送受信部を経由して出力画像データが取り込まれ、（１−１）画像メモリに１印刷単位が蓄えられるのを待つ。
【００２４】
１印刷単位が蓄えられると、印刷が開始されるが、ここでは記録媒体の移動および印字ヘッドを同架する移動体に関する記述は省略する。
【００２５】
印刷が開始されると、（１−２）ドットカウンターが（１−１）画像メモリから出力画像データが（１−３）の印刷ヘッドに送られるがこの際に一印刷単位ごとにで、（１−３）印刷ヘッドでの印刷動作を要する画素数と計測する。
【００２６】
ここでは複数の印字色を複数の印刷ヘッドがそれぞれ印字する場合は各色ごと計測される。
【００２７】
この計数値を用いて（式１−１）より得られるエネルギー矩形幅をエネルギー制御手段（図示無し）は指定する。
【００２８】
Ｐ．Ｗ（Ｃ）  ＝  Ｗ０−［Ｃ／Ｃ０］ΔＷ        （式１−１）
ここで  Ｐ．Ｗは駆動幅
Ｃは印字動作累計値
［ｘ］はガウス関数
Ｗ０はエネルギー矩形波の最大幅
ΔＷはエネルギー矩形波の最小可変幅
Ｃ０は定数
つまり印字動作の累計値がＣ０に達するごとにはエネルギー矩形波の幅が最大幅よりΔＷだけ狭くなる。
【００２９】
さらに、装置が印字動作以外の動作を行う場合、往復印字時に往方向から復方向、あるいは復方向から往方向への方向変換が行われる場合には、予め定められた値が累計値より削減される。
【００３０】
（実施例２）
（式１−１）に於けるΔＷエネルギー矩形波の最小可変幅をＣ印字動作累計値に依存するように構成できる。
【００３１】
つまり、
Ｐ．Ｗ（Ｃ）  ＝  Ｗ０−［Ｃ／Ｃ０］ΔＷ（Ｃ）        （式２−１）
ここで  Ｐ．Ｗは駆動幅
Ｃは印字動作累計値
［ｘ］はガウス関数
Ｗ０はエネルギー矩形波の最大幅
ΔＷ（Ｃ）は印字動作累計値依存する値
Ｃ０は定数
としても構成できる。
【００３２】
ここでΔＷ（Ｃ）はＣの一次式でも二次式でも良い。
【００３３】
【発明の効果】
以上説明したように本発明においては、印字動作を要する画素を計測する計測手段による累計値に応じ、投入エネルギー矩形波の幅を制御する制御手段が投入エネルギーを制御することで、駆動エネルギー駆動時間を温度により制御する方法での温度測定に時間がかかることと測定そのもの精度に起因する印字動作の不安定さを解消し、正確にかつ即時的に投入エネルギーを制御出来、印字動作より安定させより良い記録が可能となる。
【図面の簡単な説明】
【図１】図１は本発明の第一及び第二の実施例をあらわすものである。
【符号の説明】
（１−１）  印刷されるべき出力画像データを記録保持する画像メモリ
（１−２）  ドットカウンター
（１−３）  印刷ヘッド
（１−４）  投入エネルギーの矩形波例図
【図１】
2004314439.tif 000003